(57)【要約】【課題】作業者がフェンスの後面側から覗き込むことを不要とし、作業者が装置の前方から視線を動かさずに、投光装置によって描かれる工作物の、特にフェンス当接面側のラインと予め描かれている墨線とを一致させる作業が実行可能な卓上丸鋸の提供。【解決手段】卓上丸鋸１は、ベース２、ターンテーブル１０、丸鋸刃２１を支持する切断部２０、ターンテーブルの上方で切断部を移動可能にターンテーブルに支持する切断部支持部３０を有する。切断部支持部３０のヒンジ４１には、工作物Ｗの表面に丸鋸刃の刃先及び刃先の延長線の位置をライン状に表すレーザ発振器４３を収容する凹部が形成され、凹部の開口をレーザ光通過口が形成された蓋５０が閉鎖する。蓋は工作物を当接させて位置決めをするフェンス３と対向しており、蓋の表面は境面体をなし工作物表面の墨線やレーザ光によるラインを写しだす。【選択図】  図１
2004284108.tif 000002
【特許請求の範囲】
【請求項１】
ベースと、
該ベースに固定され、工作物を当接させる工作物当接面を有し工作物の位置決めをするフェンスと、
丸鋸刃を支持する切断部と、
該ベースの上方で該切断部を移動可能に支持する切断部支持部とを備えた卓上丸鋸において、
該工作物の表面に対する丸鋸刃の刃先及び刃先の延長線の位置を該表面上にラインとして表すための投光装置と、
該ラインを該フェンスの該工作物当接面側から視認するため、該フェンスに当接している工作物の一面と対向する位置に設けられた鏡面体とを備えたことを特徴とする卓上丸鋸。
【請求項２】
該ベースに対して回転可能に支持され該ベースと共に工作物を支持するターンテーブルが設けられ、該フェンスは、該ターンテーブルを横断する方向に延びていることを特徴とする請求項１記載の卓上丸鋸。
【請求項３】
該鏡面体は該ターンテーブル、該切断部、該切断部支持部のいずれかに設けられていることを特徴とする請求項２記載の卓上丸鋸。
【請求項４】
該投光装置は、レーザ発振器であることを特徴とする請求項１乃至３の何れか１に記載の卓上丸鋸。
【請求項５】
該レーザ発振器は、該フェンスに当接している工作物の一面と対向する位置に設けられていることを特徴とする請求項４記載の卓上丸鋸。
【請求項６】
該切断部支持部は、該フェンスの工作部非支持側で該ターンテーブルに設けられ、該切断部支持部のフェンスに対向する面には凹部が形成されて該レーザ発振器が該凹部内に収容され、該凹部を閉鎖するためにレーザ光通過のための開口が形成された蓋体が該切断部支持部に固定され、該蓋体の表面が該鏡面体をなすことを特徴とする請求項５に記載の卓上丸鋸。
【請求項７】
該切断部は該切断部支持部によって上下方向に回動可能に設けられたギヤケースと、該ギヤケースに一体に対向する鋸カバーと、該鋸カバーの頂部に設けられたモータハウジングと、モータハウジング内に設けられたモータと、該ギヤケースに回転可能に支持された丸鋸刃に回転を伝達するためにモータと丸鋸刃との間に設けられたベルト伝達機構とを備えていることを特徴とする請求項１に記載の卓上丸鋸。
【請求項８】
該切断部は該切断部支持部によって上下方向に回動可能に設けられたギヤケースと、該ギヤケースに対向する鋸カバーと、該鋸カバーに設けられたハンドルを有し、該鏡面体は該ハンドルよりも下方に位置していることを特徴とする請求項１に記載の卓上丸鋸。
【請求項９】
該切断部支持部は、該フェンスの工作部非支持側で該ターンテーブルに立設されたホルダ部と、該切断部を回動可能に支持し該ホルダ部に対して該フェンスに直交する方向にスライド可能に設けられた摺動部とを有し、該鏡面体は、該摺動部に設けられていることを特徴とする請求項２に記載の卓上丸鋸。
【請求項１０】
該切断支持部は、該フェンスの工作部非支持側で該ターンテーブルに立設され、該切断支持部は該ターンテーブルに対して該立設部を中心として該フェンスの延設方向に回動可能に設けられていることを特徴とする請求項２に記載の卓上丸鋸。
【請求項１１】
該鏡面体は該切断部支持部に設けられ、該鏡面体の該フェンス延設方向の長さは、該切断部が該フェンスの延設方向におけるいかなる回動位置にあっても、該丸鋸刃と該べースとの交点の垂直方向上方に位置するに十分な長さを有していることを特徴とする請求項１０に記載の卓上丸鋸。
【請求項１２】
該投光装置は照明用ライトからなり、該照明用ライトは該切断部の上部に取付けられていることを特徴とする請求項１記載の卓上丸鋸。
【請求項１３】
ベースと、
該ベースに対して回転可能に支持され工作物を支持するターンテーブルと、
該ベースに固定され、該ターンテーブルを横断する方向に延び、工作物を当接させる工作物当接面を有し工作物の位置決めをするフェンスと、
丸鋸刃を支持する切断部と、
該ターンテーブルの上方で該切断部を移動可能に該ターンテーブルに支持する切断部支持部とを備え、該ターンテーブル上面側には丸鋸刃の進入を許容するスリットが形成された刃口板が設けられ、該フェンスは互いに離間して同一直線上に１対設けられ、該スリットの一端側は、該ターンテーブルの回動に係わらず、常に該１対のフェンスの内端間の隙間に位置する卓上丸鋸において、
該フェンスに当接している工作物の一面と対向する位置には鏡面体が設けられ、該スリットの該一端が該境面体に写し出されることを特徴とする卓上丸鋸。
【発明の詳細な説明】
【０００１】
【発明の属する技術分野】
本発明は卓上丸鋸に関し、特にレーザ発振器等の投光装置によって工作物の表面に丸鋸刃の切断位置をラインとして示す卓上丸鋸に関する。
【０００２】
【従来の技術】
従来の卓上丸鋸は図１７に示されるように、ベース７０２と、ベース７０２に対して回転可能に支持されベース７０２と共に工作物Ｗを支持するターンテーブル７１０と、ベース７０２に固定され、ターンテーブル７１０を横断する方向に延び、工作物Ｗを当接させる工作物当接面を有し工作物の位置決めをするフェンス７０３と、丸鋸刃７２１を支持する切断部７２０と、ターンテーブル７１０に対してターンテーブル７１０の上方で切断部７２０を移動可能に支持する切断部支持部７３０と、工作物Ｗの表面に対する丸鋸刃の７２１刃先及び刃先の延長線の位置を工作物Ｗの表面上にラインとして表すため、レーザ光を工作物に照射するレーザ発振器７５１とを備えている。レーザ発振器７５１は切断物支持部７３０に設けられ、かつ、丸鋸刃７２１が上限位置にあるとき、レーザ光の一部又は全部が丸鋸刃の下方を通過し、工作物の上面を照射するように設けることにより、レーザ光が丸鋸刃７２１により遮断されず、工作物の表面に予め描かれた墨線とレーザ光とを合致させて、正確な位置で切断がなされるようにしている。（例えば特許文献１参照）。
【特許文献１】特開２０００−２２５６０３号公報
【０００３】
【発明が解決しようとする課題】
かかる構成によると、工作物が図１７に示されるような断面長方形のような場合には、工作物の上面に描かれた墨線と、工作物の上面に照射されたレーザ光の位置が、作業者が装置の前方に立つ状態で容易に目視できる。しかし、工作物Ｗが図１８に示されるような異形断面の場合には、作業者は予め工作物の上面に墨線を描くことができない。そこで作業者は、工作物のフェンスに当接する鉛直面に墨線を描き（例えば図７のＭ２又はＭ３）、この墨線に対する刃先の位置を相対的に調整して、墨線に沿って切断を実行するのであるが、作業者はかがみ込んで装置の後ろ側から覗き込むようにして、工作物のフェンスに当接する面上の墨線とレーザ光によるラインとを目視しなければならない。かかる作業者のかがみ込み動作は、煩わしさが伴い、作業能率を低下させる。
【０００４】
そこで本発明は、作業者がフェンスの後面側から覗き込むことを不要とし、作業者が装置の前方から視線を動かさずに、投光装置によって描かれる工作物の、特にフェンス当接面側のラインと予め描かれている墨線とを一致させる作業が実行可能な卓上丸鋸を提供することを目的とする。
【０００５】
【課題を解決するための手段】
上述した目的を達成するため本発明は、ベースと、該ベースに固定され、工作物を当接させる工作物当接面を有し工作物の位置決めをするフェンスと、丸鋸刃を支持する切断部と、該ベースの上方で該切断部を移動可能に支持する切断部支持部とを備えた卓上丸鋸において、該工作物の表面に対する丸鋸刃の刃先及び刃先の延長線の位置を該表面上にラインとして表すための投光装置と、該ラインを該フェンスの該工作物当接面側から視認するため、該フェンスに当接している工作物の一面と対向する位置に設けられた鏡面体とを備えた卓上丸鋸を提供している。
【０００６】
ここで、該ベースに対して回転可能に支持され該ベースと共に工作物を支持するターンテーブルが設けられ、該フェンスは、該ターンテーブルを横断する方向に延びている。
【０００７】
また、該鏡面体は該ターンテーブル、該切断部、該切断部支持部のいずれかに設けられている。また、該投光装置は、レーザ発振器である。該レーザ発振器は、該フェンスに当接している工作物の一面と対向する位置に設けられている。更に、該切断部支持部は、該フェンスの工作部非支持側で該ターンテーブルに設けられ、該切断部支持部のフェンスに対向する面には凹部が形成されて該レーザ発振器が該凹部内に収容され、該凹部を閉鎖するためにレーザ光通過のための開口が形成された蓋体が該切断部支持部に固定され、該蓋体の表面が該鏡面体をなす。
【０００８】
また、該切断部は該切断部支持部によって上下方向に回動可能に設けられたギヤケースと、該ギヤケースに一体に対向する鋸カバーと、該鋸カバーの頂部に設けられたモータハウジングと、モータハウジング内に設けられたモータと、該ギヤケースに回転可能に支持された丸鋸刃に回転を伝達するためにモータと丸鋸刃との間に設けられたベルト伝達機構とを備えている。
【０００９】
また該切断部は該切断部支持部によって上下方向に回動可能に設けられたギヤケースと、該ギヤケースに対向する鋸カバーと、該鋸カバーに設けられたハンドルを有し、該鏡面体は該ハンドルよりも下方に位置している。
【００１０】
また、該切断部支持部は、該フェンスの工作部非支持側で該ターンテーブルに立設されたホルダ部と、該切断部を回動可能に支持し該ホルダ部に対して該フェンスに直交する方向にスライド可能に設けられた摺動部とを有し、該鏡面体は、該摺動部に設けられている。
【００１１】
また該切断支持部は、該フェンスの工作部非支持側で該ターンテーブルに立設され、該切断支持部は該ターンテーブルに対して該立設部を中心として該フェンスの延設方向に回動可能に設けられている。ここで、該鏡面体は該切断部支持部に設けられ、該鏡面体の該フェンス延設方向の長さは、該切断部が該フェンスの延設方向におけるいかなる回動位置にあっても、該丸鋸刃と該べースとの交点の垂直方向上方に位置するに十分な長さを有しているのが好ましい。
【００１２】
また該投光装置は照明用ライトからなり、該照明用ライトは該切断部の上部に取付けられている。
【００１３】
本発明は更に、ベースと、該ベースに対して回転可能に支持され工作物を支持するターンテーブルと、該ベースに固定され、該ターンテーブルを横断する方向に延び、工作物を当接させる工作物当接面を有し工作物の位置決めをするフェンスと、丸鋸刃を支持する切断部と、該ターンテーブルの上方で該切断部を移動可能に該ターンテーブルに支持する切断部支持部とを備え、該ターンテーブル上面側には丸鋸刃の進入を許容するスリットが形成された刃口板が設けられ、該フェンスは互いに離間して同一直線上に１対設けられ、該スリットの一端側は、該ターンテーブルの回動に係わらず、常に該１対のフェンスの内端間の隙間に位置する卓上丸鋸において、該フェンスに当接している工作物の一面と対向する位置には鏡面体が設けられ、該スリットの該一端が該境面体に写し出される卓上丸鋸を提供している。
【００１４】
【発明の実施の形態】
本発明の第１の実施の形態による卓上丸鋸について、図１乃至図８に基づき説明する。卓上丸鋸１は、ベース２と、ベース２に対して回転可能に支持されベース２と共に工作物を支持するターンテーブル１０と、丸鋸刃２１を支持する切断部２０と、ターンテーブル１０の上方に切断部２０を移動可能に支持するためターンテーブル１０と切断部２０とを接続する切断部支持部３０とにより主に構成される。ターンテーブル１０は、ベース２の中央部において水平方向へ回動自在に埋設され、ターンテーブル１０の上面は、ベース２の上面と同一面となっている。ベース２及びターンテーブル１０の上面には木材等の工作物Ｗが載置される。また、ベース２の上面側には、ベース２に固定されターンテーブル１０を直径方向に横断する方向に延び、工作物Ｗを当接させる工作物当接面３Ａを有して工作物Ｗの位置決めをするフェンス３が設けられる。なおフェンス３は１対一列に設けられ、丸鋸刃２１との干渉を避けるために内端側が互いに離間している。
【００１５】
ターンテーブル１０は、略円形のテーブル部１１と、テーブル部１１の前方側でテーブル部１１の直径方向に延びる回動操作部１２を有し、回動操作部１２の前端に固定された握り部１３を把持し、横方向に移動することで、テーブル部１１はその回転軸心を中心にベース２に対して回転可能に設けられる。またテーブル部１１及び操作部１２の上面には１対の刃口板１４が互いに離間して固定され、丸鋸刃２１の刃先が侵入可能なテーブル部１１の直径方向に延びるスリットＳが提供される。刃口板１４の後端面、即ちスリットＳの後端側は、フェンス３の工作物当接面３Ａよりも、切断部支持部３０側に延びており、ターンテーブル１０の回動に係わらず、常にフェンス３の内端間の隙間にスリットＳが位置するようになっている。
【００１６】
ここで、回動操作部１２が図１に示されるようにフェンス３に対して直交する回動位置にあるときが原点回動位置であり、フェンス３に対して直交する方向に切断がなされる。一方ターンテーブル１０が原点回動位置から移動した回動位置にあるときは、フェンス３に対して鋭角（又は鈍角）な方向に切断がなされるいわゆる角度切りが行われる。
【００１７】
切断部支持部３０は、ホルダ３１と、ホルダシャフト３２と、ブラケット３３と、クランプレバー３４と、１対のスライドシャフト３９と、切断部２０を回動可能に支持するヒンジ４１とにより主に構成される。スライドシャフト３９とヒンジ４１は摺動部を構成する。ホルダ３１は、ターンテーブル１０の後端部からホルダシャフト３２を介して立設され、ホルダシャフト３２の軸心は、ターンテーブル１０上面とほぼ一致するように位置させることで、ホルダ３１はホルダシャフト３２を支点にターンテーブル１０の上面を中心に左右傾斜自在に軸支されている。図２、図４に示されるように、ホルダ３１の後方において、ターンテーブル１０の後端からはホルダシャフト３２を中心とする円弧状の長穴３３ａが形成されたブラケット３３が立設され、クランプレバー３４の軸部３５が長穴３３ａを貫通し、クランプレバー３４の操作により、軸部３５のホルダ３１に対する固定位置が可変となり、ホルダシャフト３２を中心としたホルダ３１の左右傾斜角度が調節可能となる。またホルダ３１の下方の左右端には、切欠き３１ａ、３１ｂが形成され、それぞれの切欠き３１ａ、３１ｂに当接可能に調節ネジ３６，３７がターンテーブル１０に螺合されている。調節ネジ３６、３７を螺進退させ、その頭部の高さを調節することにより、クランプレバー３４を開放しているときのホルダ３１の左右傾斜角度が調節可能となる。ホルダ３１の傾斜角度を固定することにより、丸鋸刃２１も同様な傾斜角度に固定され、いわゆる傾斜切りが可能となる。
【００１８】
ホルダ３１の上端には筒状のスライドシャフト支持部３８が一体に設けられ、１対のスライドシャフト３９が互いに平行にスライドシャフト支持部３８に対して前後方向に摺動可能に設けられる。またスライドシャフト３９の最前端位置を規制するためのストッパ部材４０が１対のスライドシャフト３９の後端部間に跨って設けられる。そしてヒンジ４１は、１対のスライドシャフト３９の前端に固定される。ヒンジ４１はその中間部がスライドシャフト３９に固定され、その上部には切断部２０を回動可能に支承する回動支承部４２が設けられ、その下部にはレーザ発振器収容部４３が設けられる。
【００１９】
切断部２０は、丸鋸刃２１を着脱可能、回転可能に支持するギヤケース２２を有し、ギヤケース２２と一体に、丸鋸刃２１の上半分をカバーする鋸カバー２３、鋸カバー２３の前方側に位置するハンドル２４、ハンドル２４の後方に位置しモータ２５を収容するモータハウジング２６、ヒンジ４１の回動支承部４２に回転可能に支持される回動軸２７が設けられる。回動軸２７は丸鋸刃２１の回動軸とほぼ平行に延びている。即ち切断部２０は、切断支持部３０に対して、丸鋸刃２１の回転軸方向とほぼ平行に延びた回動支点を有している。モータハウジング２６は、切断時にギヤケース２２が工作物Ｗ方向に下降したとき、鋸カバー２３の頂部に位置する。そしてギヤケース２２とヒンジ４１との間には、ギヤケースを上方向に回動付勢する捩りスプリング２８が回動軸２７の回りに配設されている。ギヤケース２２内には、モータ２６の回転を伝達するための無端ベルト２９Ａやプーリ２９Ｂ等の動力伝達機構２９が収容され、モータ２６の回転が動力伝達機構２９を介して丸鋸刃２１に伝達される。また、切断屑を回収するための集塵袋４４が鋸カバー２３とギヤケース２２間の空間に連通して鋸カバー２３に着脱可能に設けられる。
【００２０】
レーザ発振器収容部４３は、ヒンジ部４１の下部において、図６に示されるように、フェンス３に略対向する位置に開口する凹部４５と、凹部４５内にバネ４６、４７、４８を介して移動可能に配置されたレーザ発振器取付部材４９と、凹部４５の開口を閉鎖する蓋５０により提供される。そして投光装置であるレーザ発振器５１がバネ５２〜５５を介してレーザ発振器取付部材４９に対して上下左右方向に移動可能に設けられ、アジャスタ５６がヒンジ部４１の外側からレーザ発振器５１に押圧可能に設けられて、レーザ発振器５１の左右方向の位置が調整可能に設けられる。レーザ発振器５１のレーザ照射部は、図７に示されるように、レーザ光ＲによるラインＬ１、Ｌ２が丸鋸刃２１の直近の側方を通過するように位置調整され、また図１に示されるように、レーザ発振器５１は、切断部２０が上限位置にあるときに、レーザ発振器５１から照射されたレーザー光Ｒが丸鋸刃２１の刃先よりも下方を通過するような位置にある。レーザ光Ｒを出力することによって、工作物Ｗの表面に対する丸鋸刃２１の刃先及びその延長線の位置を工作物Ｗの表面上にラインＬ１、Ｌ２として表すことができる。なお図７において、Ｍ１、Ｍ２は工作物Ｗの表面に予め描かれた墨線であり、Ｗ１はフェンス３に当接する面である。尚ラインＬ１、Ｌ２は所定の幅を有し、図７ではラインの右側縁が墨線Ｍ１、Ｍ２と一致している。
【００２１】
図示せぬネジにより蓋５０を凹部４５の開口端面に固定するために、蓋５０にはネジ穴５０ａ〜５０ｃが形成され、またレーザ発振器５１から照射されたレーザ光の通過を許容する開口５０ｄが形成されている。またこの蓋５０の表面は、鏡面仕上げがなされた境面体としても機能する。蓋５０はレーザ発振器５１を収容するに十分な機械的強度を有し、また鏡面として機能し得る材料、例えばステンレス板により構成される。そして鏡面効果を持たせるため、ステンレス板に磨き加工が施される。蓋５０が鏡面体を兼ねているので、部品点数の増加を防止できる。
【００２２】
以上の構成において、スライドシャフト３９が後退位置にある状態、及びターンテーブル１０が原点回動位置にある状態で、スリットＳの延設方向に比較的長い幅Ｂを有し墨線Ｍ１、Ｍ２（図７）が描かれた工作物Ｗをテーブル部１１上に載せ、工作物の位置決めのため工作物の一面Ｗ１（図７）をフェンス３の工作物当接面３Ａに当接させる。なお、墨線Ｍ１は工作物の上面において当接面Ｗ１から直角に延び、墨線Ｍ２は、当接面Ｗ１において、工作物の上面から直角に延びている。このとき卓上丸鋸１の前方に立つ作業者は、墨線Ｍ１については装置前方から、墨線Ｍ２については鏡面体５０に写る像から同様に装置前方から視認することができる。
【００２３】
また、レーザ発振器５１から照射されるレーザ光Ｒにより、工作物Ｗの表面にラインＬ１、Ｌ２が描かれる。よって作業者は、墨線Ｍ１をラインＬ１に合致させるように、工作物Ｗを移動させる。また、鏡面体５０に写る像を見ながら、墨線Ｍ２をラインＬ２に合致させるように工作物Ｗを移動させてもよい。特に図８に示されるように、工作物Ｗの上面が異形であるときは、予め上面に墨線を描くことができず、フェンス３との当接面Ｗ１にのみに墨線Ｍ２が描かれている場合には、作業者は図７の場合のような墨線Ｍ１とラインＬ１との合致を確認することができないが、墨線Ｍ２とラインＬ２との照合を鏡面体５０を通じて行うことができる。
【００２４】
墨線ＭとラインＬとの位置合わせ後、作業者はハンドル２４を把持して捩りスプリング２８の付勢力に抗してハンドル２４を下げると、切断部２０が回動軸２７を中心として下方に回動して丸鋸刃２１が下降し切断が開始される。またハンドル２４を前方に引くと、スライドシャフト３９がスライドシャフト支持部３８に対して前方に摺動して、丸鋸刃２１を前進させ、墨線Ｍ１に沿った切断が行われる。なお上述した角度切りの場合も、ターンテーブル１０を原点回動位置から所望の角度まで回動させてから、上述した墨線ＭとラインＬとの照合とその後の切断動作が行われる。
【００２５】
また傾斜切りをする場合には、鉛直な墨線Ｍ２に代えて、墨線Ｍ１の端部から斜めに傾斜している墨線Ｍ３が工作物の端面Ｗ２に予め描かれる。そこでクランクレバー３４を緩め、ホルダ３１がホルダシャフト３２の回りを回転可能な状態とした後に、刃口板１４のスリットＳの後端に位置する工作物の墨線Ｍ３の傾斜に合うように丸鋸刃２１の傾斜を調整する。丸鋸刃２１の傾斜の延長線がラインＬ３として工作物の端面Ｗ２に描かれるので、ラインＬ３を墨線Ｍ２に合致させることで丸鋸刃２１の傾斜角度が決定でき、その後にクランクレバー３４を締め付けて、ホルダ３１の回動角度を固定して丸鋸刃２１の傾斜角度が固定される。更に、本装置では、角度切りと傾斜切りとを複合させることも可能であり、かかる場合にも、工作物のスリット当接面Ｗ１の墨線とレーザ光によるラインとの合致を、鏡面体５０を通じて装置の前方側から視認できる。
【００２６】
このように、蓋（鏡面体）５０はスリットＳの後端側に対向する位置、即ちフェンス３に当接している工作物Ｗの一面Ｗ１と対向する位置に設けられているので、工作物が異形断面形状であっても、フェンス３に当接している工作物の一面側（Ｗ１）に描かれたレーザ光によるラインＬ２又はＬ３を鏡面体５０に写し出すことができる。よって鏡面体５０に写ったラインＬ２又はＬ３と墨線Ｍ２又はＭ３とをフェンス３の工作物当接面３Ａ側、即ち卓上丸鋸１の前方側から視認することができ、作業者がフェンス３に当接している工作物の一面側にかがみ込んで覗き込む必要がない。よって、鏡面体５０を通じてその工作物Ｗの一面（図７）側のラインの位置や、ラインと墨線との相対位置関係の確認が容易にでき、墨線と刃先との一致を容易に実現でき、作業性の向上を図ることができる。
【００２７】
また、鏡面体５０は切断部支持部３０を構成するヒンジ４１に設けられており、即ちベース２に対して丸鋸刃２１と共に移動する移動構成要素側に設けられているので、ターンテーブル１０が回転しても、鏡面体５０はその回転と共に移動するので、鏡面体５０を通じてその工作物の一面側のラインの位置の確認ができ、ターンテーブル回転時の視認性を維持することができる。
【００２８】
更に、レーザ発振器５１はフェンス３に当接している工作物の一面Ｗ１と対向する位置に設けられているので、工作物Ｗが角材である場合に、レーザー光線が直接角材のフェンス当接面や角材の上面を照射することができる。よって、切断位置を一層正確に把握することができる。
【００２９】
更に、モータハウジング２６は丸鋸刃２１の厚さ方向に嵩ばる部材であるが、モータハウジング２６は鋸カバー２３の頂部に設けられているので、モータハウジング２６が鏡面体５０を視認する際の障害物とならず、切断部２０の上下動にかかわらず鏡面体５０の視認性を維持することができる。
【００３０】
更に、鏡面体５０はハンドル２４よりも下方に位置しているので、鏡面体５０の視認性を維持することができる。即ち鏡面体５０がハンドル２４よりも上方に位置しているとすれば、ハンドル２４の上下動操作により、ハンドル２４が鏡面体５０視認の障害物となり得るが、鏡面体５０はハンドル２４よりも下方に位置しているのでかかる事態が生じない。
【００３１】
更に、鏡面体５０はフェンス３に当接している工作物の一面と対向する位置に設けられており、また鏡面体５０は、前後方向に移動可能なスライドシャフトの前端に固定されたヒンジ４１に設けられているので、工作物Ｗに対して鏡面体５０を接近させたり離間させることができる。この離接近動作により、工作物Ｗの大小に応じて、工作物の所望の表面を鏡面体５０内に映し出すことができる。
【００３２】
更に、フェンス３に当接している工作物の一面と対向する位置に鏡面体５０が設けられているので、スリットＳの後端を鏡面体５０に写し出すことができる。実際の切断時にはスリットＳ内には必ず丸鋸刃２１の刃先が進入するので、切断前に工作物Ｗに対する丸鋸刃２１の刃先位置や傾斜角度を、鏡面体に写し出されるスリットの一端部を目安として把握でき、作業者がフェンス３に当接している工作物Ｗの一面側に視線を回す必要がない。よって、レーザ発振器のない卓上丸鋸やレーザ発振器が故障した卓上丸鋸においても、鏡面体５０は有効である。
【００３３】
本発明の第２の実施の形態による卓上丸鋸について、図９に基づき説明する。なお第１の実施の形態と同一の部材は同一の参照番号を付し説明を省略する。また第１の実施の形態と対応する部材は、第１の実施の形態の参照番号に１００を付加している。本実施の形態による卓上丸鋸１Ａでは、レーザ発振器５１と鏡面体を兼ねる蓋５０が、切断部支持部１３０のヒンジ１４１ではなく、切断部１２０を構成する鋸カバー２３の後方に取付部１２３を設け、取付部１２３内に図６と同様な構成にてレーザ発振器５１を取付け、取付部１２３の前端開口に蓋５０を取付けている点で第１の実施の形態と相違する。
【００３４】
かかる構成においても、鏡面体５０は切断部１２０、即ちベース２に対して移動する移動構成要素側に設けられているので、ターンテーブル１０が回転しても、鏡面体５０はその回転と共に移動するので、鏡面体５０を通じてその工作物の一面側のラインの位置の確認ができ、ターンテーブル１０回転時の視認性を維持することができる。その他の技術的効果は第１の実施の形態の効果と同様である。
【００３５】
本発明の第３の実施の形態による卓上丸鋸について、図１０に基づき説明する。本実施の形態による卓上丸鋸１Ｂでは、ヒンジ４１内の凹部にレーザ発振器５１を収容し、蓋１５０Ａで凹部の開口を閉鎖した点で、第１の実施の形態と同様であるが、蓋１５０Ａは鏡面体を兼ねていない。そして鏡面体１５０Ｂが切断部２０の後方であって、フェンス３に当接している工作物Ｗの一面Ｗ１と対向する位置に取付けられている。かかる構成によれば、蓋１５０Ａに境面体の性能が要求されていないのでその材料の選択の幅が広がり、一方鏡面体１５０Ｂは蓋１５０Ａとは別体で鏡面としての性能の高い材料で構成することができる。その他の技術的効果は、第１、第２の実施の形態と同様である。
【００３６】
図１１乃至図１４は、本発明の第４乃至第７の実施の形態による卓上丸鋸を示す。これらの実施の形態では、第１乃至第３の実施の形態のようなスライドシャフト３９及びその関連部材は設けらず、切断部がターンテーブルに対して上下方向に回動するのみの構成である。
【００３７】
図１１に示される第４の実施の形態による卓上丸鋸１Ｃでは、切断部２２０は、第１の実施の形態の切断部２０と略同様である。一方切断部支持部２３０は、ホルダ２３１，ホルダシャフト２３２，クランプレバー２３４、Ｖ字状突起部２３１Ａ、図示せぬストッパボルト等により構成される。即ち、ターンテーブル２１０の後端にはホルダシャフト２３２を介してホルダ２３１が立設され、ホルダシャフト２３２の軸心は、ターンテーブル２１０上面とほぼ一致するように位置させることで、ホルダ２３１はホルダシャフト２３２を支点にターンテーブル２１０の上面を中心に左右傾斜自在に軸支される。
【００３８】
ホルダ２３１の後部からは、ホルダシャフト２３２を中心とする図示せぬ円弧状の長穴が形成され、円弧状長穴に、先端にネジ部が形成されているクランプレバー２３４を貫通させ、ネジ部がターンテーブル２１０背面に形成された雌ネジ穴部にネジ嵌合される。クランプレバー２３４を緩めると、ホルダ２３１はホルダシャフト２３２を中心に長穴の範囲内で傾斜し、クランプレバー２３４を締付けると、ホルダ２３１はターンテーブル２１０とクランプレバー２３４間に締付けられ、任意の傾斜位置で固定される。なお、円弧状長穴はホルダ２３１が左右４５度傾斜できる範囲内で形成されている。
【００３９】
ホルダ２３１の上部には回動軸２２７を支持する回動支承部２４２が設けられ、ベース２０２上面に対して、回動軸２２７を介して上下揺動自在に切断部２２０がホルダ２３１に軸支される。ホルダ２３１と切断部２２０の間には、切断部２２０を上方に付勢する捩りスプリング２２８が設けられている。Ｖ字状の突起部２３１Ａは、ホルダ２３１の前面にホルダに一体に設けられ、図示せぬ１対のストッパボルトは、ターンテーブル２１０上面後方において、突起部２３１Ａの移動軌跡上に位置するように直立方向にターンテーブル２１０にねじ螺合されている。ホルダ２３１を傾斜させると、所定の傾斜角度で突起部２３１Ａの外側面が一方のストッパボルトの頭部に当接し、丸鋸刃２２１の傾斜位置が設定される。通常、一対のストッパボルトは、ホルダ２３１が左右方向に４５度の位置に傾斜したときに突起部２３１Ａに当接するように設けられている。なお、切断支持部２３０については、特開２０００−２２５６０３号の図１乃至図３に示される構成と同様であるため、更なる説明は省略する。
【００４０】
本実施の形態においては、レーザ発振器２５１がホルダ２３１の前面側に形成された凹部内に収容され、鏡面体を兼ねレーザ光通過のための開口が形成された蓋２５０にて凹部の開口が閉鎖されている。かかる構成においても、鏡面体２５０は、切断部支持部２３０の構成要素であるホルダ２３１、即ちベース２０２に対して移動する移動構成要素側に設けられているので、ターンテーブル２１０が回転しても、鏡面体２５０はその回転と共に移動するので、鏡面体２５０を通じてその工作物の一面側のラインの位置の確認ができ、ターンテーブル２１０回転時の視認性を維持することができる。その他の技術的効果は上述した実施の形態の効果と同様である。
【００４１】
図１２に示される第５の実施の形態による卓上丸鋸１Ｄでは、第２の実施の形態と同様に、切断部３２０を構成する鋸カバー２２３の後方に取付部３２３を設け、取付部３２３内にレーザ発振器２５１を取付け、また、取付部３２３の前端開口に境面体を兼ねる蓋２５０を取付けている。かかる構成においても、鏡面体２５０は切断部３２０、即ちベース２０２に対して移動する移動構成要素側に設けられているので、ターンテーブル２１０が回転しても、鏡面体２５０はその回転と共に移動するので、鏡面体２５０を通じてその工作物の一面側のラインの位置の確認ができ、ターンテーブル２１０回転時の視認性を維持することができる。その他の技術的効果は上述した実施の形態の効果と同様である。
【００４２】
図１３に示される第６の実施の形態による卓上丸鋸１Ｅでは、レーザ発振器４５１が、切断部４２０のハンドル４２４の前方側面部に設けられると共に、鏡面体４５０が切断部支持部４３０のホルダ４３１の前端部であって、フェンスに対向する位置に取付けられている。ここでレーザ発振器４５１は、レーザ光を工作物Ｗの上面に照射可能であると共に、レーザ光の一部が鏡面体４５０にも指向し鏡面体４５０で反射されて工作物Ｗのフェンス当接面Ｗ１側にもレーザ光が照射可能である。本実施の形態においても、上述した実施の形態と同様の効果が得られる。
【００４３】
図１４、図１５に示される第７の実施の形態による卓上丸鋸１Ｆでは、投光装置としてレーザ発振器ではなく照明用ライト５５１が、ハンドル５２４であって切断部５２０の上限位置における最上位置に下向きに取付けられている。また、鏡面体５５０が、切断部支持部５３０を構成するホルダ５３１の前面に取付けられている。よって図１５に示されるように、丸鋸刃５２１の刃先の陰影を工作物の表面にラインＬとして描くことができ、工作物の上面に描かれている墨線Ｍ１とラインとの位置位置関係が把握できる。また、図の一点鎖線で囲んだ工作物の上面側後端角部における陰影によるラインと工作物のフェンス側当接面に描かれたケガキ線Ｍ２との位置関係を鏡面体５５０を通じてフェンス５０３の工作物当接面側から確認でき、墨線と刃先とを一致させることが容易となる。
【００４４】
本発明による卓上丸鋸は上述した実施の形態に限定されず、特許請求の範囲に記載された範囲で種々の変更が可能である。例えば第７の実施の形態において、照明用ライトに代えて、レーザ発振器を取付けてもよい。また、工作物の表面に適正なラインが得られ、かつラインと墨線との照合が鏡面体を通じて可能な限りは、第１乃至第７の実施の形態におけるレーザ発振器の位置や鏡面体の位置に限定されない。
【００４５】
また、上述した実施の形態において、図１６に示されるように、切断部の左右傾斜方向において鏡面体６５０を長く形成し、切断部が最大の傾斜となったときも、依然として鏡面体の一部が丸鋸刃６２１とべース６０２との交点Ｊの垂直方向上方に位置するに十分な長さとするのが好ましい。例えば、図１６の破線で示されるように、切断部が正立しているときは鏡面体６５０も破線の位置にあり、鏡面体６５０の左側領域でラインや墨線を写し出し、切断部が実線のように左側に傾斜したとき、鏡面体６５０も実線のように左側に回動するが、鏡面体が十分に左右に長いために、鏡面体の右側領域が依然としてラインや墨線を写し出すことができる。よって傾斜切りの際に継続的にラインや墨線を写しだせる。
【００４６】
【発明の効果】
請求項１記載の卓上丸鋸によれば、フェンスに当接している工作物の一面と対向する位置に鏡面体が設けられているので、少なくともフェンスに当接している工作物の一面側や一面側上端角部に描かれた投光装置よるラインを鏡面体に写し出すことができる。よって鏡面体に写ったラインをフェンスの工作物当接面側から視認することができ、作業者がフェンスに当接している工作物の一面側を覗き込むことなく、鏡面体を通じてその工作物の一面側のラインの位置の確認が容易にできる。よって作業性の向上を図ることが出きる。
【００４７】
請求項２記載の卓上丸鋸によれば、ターンテーブルの回動により、角度切りが行える。このときフェンスは、ターンテーブルを横断する方向に延びており、角度切りの際にも工作物を当接させている。
【００４８】
請求項３記載の卓上丸鋸によれば、鏡面体は該ターンテーブル、該切断部、該切断部支持部のいずれか、即ちベースに対して移動する移動構成要素側に設けられているので、ターンテーブルが回転しても、鏡面体はその回転と共に移動するので、鏡面体を通じてその工作物の一面側のラインの位置の確認ができ、ターンテーブル回転時の視認性を維持することができる。
【００４９】
請求項４記載の卓上丸鋸によれば、投光装置としてレーザ発振器が用いられているので、工作物の表面には丸鋸の切り込み位置や傾斜角度を意味するレーザ光線がラインとして現れる。よって工作物に予めケガキ線が描かれている場合に、ケガキ線とラインとの位置関係が、鏡面体を通じて把握でき、ラインとケガキ線とが整合するように、鏡面体を見ながら工作物と丸鋸刃の相対位置関係を容易に調整することができる。
【００５０】
請求項５記載の卓上丸鋸によれば、レーザ発振器はフェンスに当接している工作物の一面と対向する位置に設けられているので、工作物が角材である場合に、レーザー光線が直接角材のフェンス当接面や角材の上面を照射することができる。よって、切断位置を一層正確に把握することができる。
【００５１】
請求項６記載の卓上丸鋸によれば、蓋体が鏡面体を兼ねているので、部品点数の増加を抑えることができる。
【００５２】
請求項７記載の卓上丸鋸によれば、モータハウジングは丸鋸刃の厚さ方向に嵩ばるものであるが、モータハウジングは鋸カバーの頂部に設けられているので、モータハウジングが鏡面体を視認する際の障害物とならず、切断部の上下動にかかわらず鏡面体の視認性を維持することができる。
【００５３】
請求項８記載の卓上丸鋸によれば、鏡面体はハンドルよりも下方に位置しているので、鏡面体の視認性を維持することができる。
【００５４】
請求項９記載の卓上丸鋸によれば、鏡面体はフェンスに当接している工作物の一面と対向する位置に設けられており、また鏡面体は、摺動部に設けられているので、工作物に対して鏡面体を接近させたり離間させることができ、工作物の大小に応じて、工作物の所望の表面を鏡面体内に映し出すことができる。
【００５５】
請求項１０記載の卓上丸鋸によれば、切断支持部はターンテーブルに対して立設部を中心としてフェンス延設方向に回動可能に設けられているので、丸鋸刃の切込み角度を調整でき傾斜切りが可能となる。工作物のフェンスに当接する面にケガキ線が事前に描かれているとき、ケガキ線に対して丸鋸刃の切込み角度を変化させ、ケガキ線と切り込み角度を表すラインとを鏡面体を通じて整合させることができる。
【００５６】
請求項１１記載の卓上丸鋸によれば、鏡面体の該フェンス延設方向の長さは、切断部がフェンスの延設方向におけるいかなる回動位置にあっても、丸鋸刃とべースとの交点の垂直方向上方に位置するに十分な長さを有しているので、傾斜切りの場合に鏡面体が同様に回動しても、鏡面体に工作物の表面のラインを映し出すことができる。
【００５７】
請求項１２記載の卓上丸鋸によれば、投光装置は照明用ライトからなり、照明用ライトは切断部の上部に取付けられているので、丸鋸刃の刃先の陰影を工作物の表面にラインとして描くことができ、陰影によるラインと工作物のフェンス側当接面に描かれたケガキ線との位置関係を鏡面体を通じてフェンスの工作物当接面側から確認ができる。
【００５８】
請求項１３記載の卓上丸鋸によれば、フェンスに当接している工作物の一面と対向する位置に鏡面体が設けられているので、スリットの一端部を鏡面体に写し出すことが出きる。実際の切断時にはスリット内には必ず丸鋸刃の刃先が進入するので、切断前に工作物に対する丸鋸刃の刃先位置や切り込み角度を、鏡面体に写し出されるスリットの一端部を目安として把握でき、作業者がフェンスに当接している工作物の一面側に視線を回す必要がない。かかる構成は請求項１の投光装置のない卓上丸鋸や、投光装置がある卓上丸鋸において投光装置が故障した場合に有効である。
【図面の簡単な説明】
【図１】本発明の第１の実施の形態による卓上丸鋸を示す側面図。
【図２】本発明の第１の実施の形態による卓上丸鋸において工作物をセットした状態を示す斜視図。
【図３】本発明の第１の実施の形態による卓上丸鋸において工作物セット前の状態を示す斜視図。
【図４】本発明の第１の実施の形態による卓上丸鋸を示す背面図。
【図５】本発明の第１の実施の形態による卓上丸鋸の傾斜切断状態を示す部分正面図。
【図６】本発明の第１の実施の形態による卓上丸鋸においてレーザ発振器の取付けを示す分解斜視図。
【図７】本発明の第１の実施の形態において、工作物に描かれた墨線と丸鋸刃とレーザ光との位置関係を示す説明図。
【図８】本発明の第１の実施の形態による卓上丸鋸において異形断面の工作物を切断する際のレーザ光照射状態を示す側面図。
【図９】本発明の第２の実施の形態による卓上丸鋸を示す部分側面図。
【図１０】本発明の第３の実施の形態による卓上丸鋸を示す側面図。
【図１１】本発明の第４の実施の形態による卓上丸鋸を示す側面図。
【図１２】本発明の第５の実施の形態による卓上丸鋸を示す要部側面図。
【図１３】本発明の第６の実施の形態による卓上丸鋸を示す側面図。
【図１４】本発明の第７の実施の形態による卓上丸鋸を示す側面図。
【図１５】本発明の第７の実施の形態による卓上丸鋸において、工作物に描かれた墨線と丸鋸刃と照明用ライトによる刃先の陰影ラインとの位置関係を示す説明図。
【図１６】本発明の実施の形態における鏡面体の変形例を示す説明図。
【図１７】従来の卓上丸鋸に断面長方形の角材をセットした状態を示す側面図。
【図１８】従来の卓上丸鋸に異形断面の工作物をセットした状態を示す側面図。
【符号の説明】
１Ａ、１Ｂ、１Ｃ、１Ｄ，１Ｅ、１Ｆ：卓上丸鋸、２０２、６０２：ベース、
３、５０３：フェンス、３Ａ：工作物当接面、１０、２１０：ターンテーブル、
１４：刃口板、  ２０、１２０、４２０、５２０：切断部、
２１、２２１、５２１、６２１：丸鋸刃、  ２２、２２２：ギヤケース、
２３、２２３：鋸カバー、  ２４、２２４、４２４、５２４：ハンドル、
２６、２２６：モータハウジング、  ２８、２２８：捩れスプリング、
３０、１３０、２３０、３３０、４３０、５３０：切断部支持部、
３１、２３１、４３１：ホルダ、  ３２、２３２：ホルダシャフト、
３４、２３４：クランプレバー、  ３９：スライドシャフト、
４１、１４１：ヒンジ、  ４３：レーザ発振器収納部、
５０、２５０：鏡面体を兼ねる蓋、
５１、１５１、２５１、４５１、５５１：レーザ発振器、
１２３、３２３：レーザ発振器取付部、  １５０Ａ：蓋、
１５０Ｂ、４５０、５５０、６５０：鏡面体、
Ｍ１，Ｍ２，Ｍ３：墨線、Ｌ１，Ｌ２，Ｌ３：レーザ照射光ライン、
Ｗ：工作物
【図１】
2004284108.tif 000003
【図２】
2004284108.tif 000004
【図３】
2004284108.tif 000005
【図４】
2004284108.tif 000006
【図５】
2004284108.tif 000007
【図６】
2004284108.tif 000008
【図７】
2004284108.tif 000009
【図８】
2004284108.tif 000010
【図９】
2004284108.tif 000011
【図１０】
2004284108.tif 000012
【図１１】
2004284108.tif 000013
【図１２】
2004284108.tif 000014
【図１３】
2004284108.tif 000015
【図１４】
2004284108.tif 000016
【図１５】
2004284108.tif 000017
【図１６】
2004284108.tif 000018
【図１７】
2004284108.tif 000019
【図１８】
2004284108.tif 000020